(57)【要約】【課題】  ディスクをセットして出し入れするトレイを備えたディスク装置であって、水平方向並びに高さ方向のトレイの位置規制を簡単に行うことが出来るディスク装置の提供。【解決手段】  フレーム２の両外側壁４，４には内側へ水平に延びる支持部６と支持部先端には垂直下方へ延びるガイドリブ７から成る概略Ｌ型のガイド部３を複数箇所に設けている。外側壁４と所定の間隔を隔てて設けた内側壁９とを繋ぐ連結部１０の一部には水平な底面１１を形成すると共に、上記ガイド部３が位置する連結部１０の一部には開口穴１２を形成している。そしてトレイ１の両外側部には先端に位置規制リブ１５を形成したスライド部１３を設け、スライド部１３の上面にはガイド溝１４を形成し、該ガイド溝１４には上記ガイド部３のガイドリブ７の下端を嵌め、位置規制リブ１５は支持部６と底面１１との間に挟み込んでいる。【選択図】    図５
2006127658.tif 000002
【特許請求の範囲】
【請求項１】
ディスクをセットして出し入れするトレイを備えたディスク装置において、フレームの両方又は一方の外側壁には内側へ水平に延びる支持部と支持部先端には垂直下方へ延びるガイドリブから成る概略Ｌ型のガイド部を複数箇所に設け、外側壁と所定の間隔を隔てて設けた内側壁とを繋ぐ連結部の一部には水平な底面を形成すると共に、上記ガイド部が位置する該連結部の一部には開口穴を形成し、そしてトレイの両外側部には先端に位置規制リブを形成したスライド部を設け、スライド部の上面にはガイド溝を形成し、該ガイド溝には上記ガイド部のガイドリブ下端を嵌め、位置規制リブは支持部と底面との間に挟み込んだことを特徴とするトレイ搬送時の位置規制手段を備えたディスク装置。
【請求項２】
ディスクをセットして出し入れするトレイを備えたディスク装置において、フレームの一方外側壁には内側へ水平に延びる支持部と支持部先端には垂直下方へ延びるガイドリブから成る概略Ｌ型のガイド部を複数箇所に設け、外側壁と所定の間隔を隔てて設けた内側壁とを繋ぐ連結部の一部には水平な底面を形成すると共に、上記ガイド部が位置する連結部の一部には開口穴を形成し、そしてトレイの一方外側部には先端に位置規制リブを形成したスライド部を設け、スライド部の上面にはガイド溝を形成し、該ガイド溝には上記ガイド部のガイドリブ下端を嵌め、位置規制リブは支持部と底面との間に挟み込み、一方、フレームの他方外側壁から内側へリブを水平に延ばすと共にトレイ外側端には凹溝を形成したスライド部を形成し、そして上記凹溝に上記リブを嵌めたことを特徴とするトレイ搬送時の位置規制手段を備えたディスク装置。
【請求項３】
ディスクをセットして出し入れするトレイを備えたディスク装置において、フレームの一方外側壁には内側へ水平に延びる支持部と支持部先端には垂直下方へ延びるガイドリブから成る概略Ｌ型のガイド部を複数箇所に設け、外側壁と所定の間隔を隔てて設けた内側壁とを繋ぐ連結部の一部には水平な底面を形成すると共に、上記ガイド部が位置する連結部の一部には開口穴を形成し、そしてトレイの一方外側部には先端に位置規制リブを形成したスライド部を設け、スライド部の上面にはガイド溝を形成し、該ガイド溝には上記ガイド部のガイドリブ下端を嵌め、位置規制リブは支持部と底面との間に挟み込み、一方、フレームの他方外側壁の内面に凹溝を形成したガイド部を複数箇所に設け、トレイ外側端には水平に延びるリブを形成したスライド部を設け、そして上記凹溝に上記リブを嵌めたことを特徴とするトレイ搬送時の位置規制手段を備えたディスク装置。
【発明の詳細な説明】
【技術分野】
【０００１】
本発明はトレイがスライド搬送する際の位置規制手段を備えたディスク装置に関するものである。
【背景技術】
【０００２】
ＣＤ、ＤＶＤ等のディスクを再生する為のディスク装置は、ディスクを載せて出し入れするトレイ、ディスクをターンテーブルに載せて回転させる駆動部、そしてディスクに記録されている情報を再生するピックアップ、及び該ピックアップを移動させる送り装置等を備えたトラバースユニットから成っている。そして、これら各構成部の動きに必要なモータが備わって制御され、各モータを介してそれぞれ必要な動作を行なうことが出来る。
【０００３】
ディスクを載置して装置本体から搬出・搬入するトレイの場合も同じく、該トレイはモータにて駆動されるが、その為にトレイの底面側部に設けているラックにはギアが噛み合い、ギアはモータにて回転駆動される。従って、ギアが回転するならば、噛合っているラックが移動することでトレイをスライドして搬送することが出来る。
【０００４】
ところで、上記トレイがスライド搬送される場合、横方向(水平方向)及び高さ方向(上下方向)の位置を規制する為のガイド部が設けられているが、基本的には凹部と凸部の組合せで構成され、その形態には色々ある。しかし、ガイド部の配置スペースを最小限に抑えてディスク装置全体の小型化及び薄型化を図り、又ガイド部形状の簡略化に基づく成形金型の簡略化が求められる。
【０００５】
特開２００１−１５５４０２号に係る「ディスクローディング機構」は、トレイを移動する負荷を増やすことなく、また外形形状も殆ど変えることなく、且つ左側から右側に激しく振られる状態が発生することもなくディスクを取り込むことが出来るディスクローディング機構であり、同公報の図４に示しているように、トレイの両側端側上部を押さえるフック形状のガイド部１ｃの他にフレームの底面からトレイ底面のガイド溝に嵌るガイド部１ａ，１ｂをフレームの両側端部より内側に形成している。その為に、ディスク装置の幅方向においてガイド部を形成するスペースを必要としている。
【０００６】
トレイの横方向及び高さ方向を正確に位置規制する場合、フレーム及びトレイ側に設けた凹部と凸部を完全嵌合状態として噛合わせるならば、該凹部及び凸部の寸法誤差に基づいてトレイのスライド搬送に支障を来たすこともある。
【特許文献１】特開２００１−１５５４０２号に係る「ディスクローディング機構」
【発明の開示】
【発明が解決しようとする課題】
【０００７】
このように、従来のディスク装置においてトレイをスライド搬送する為の位置規制手段には上記のごとき問題がある。本発明が解決しようとする課題はこの問題点であり、至って簡単な形状にてトレイ搬送時の位置規制を行うことが出来、しかもフレーム側に設けたガイド部の配置スペースを最小限に抑えて小型化及び薄型化を図ることが出来るトレイ搬送時の位置規制手段を備えたディスク装置を提供する。
【課題を解決するための手段】
【０００８】
本発明のディスク装置では、トレイの両側部にはスライド部を設け、該スライド部上面には凹状のガイド溝が形成され、スライド部先端には上下方向へ延びる位置規制リブを設けている。一方、トレイを収容するフレーム側には、その両側にガイド部を複数箇所に部分的に設け、該ガイド部は内側へ水平に延びる支持部と該支持部先端には下方へ垂直に延びるガイドリブを形成している。すなわち、概略Ｌ型形状のガイド部と成っている。
【０００９】
フレームに形成したガイド部のガイドリブが上記トレイのスライド部上面に形成したガイド溝に嵌ることで、トレイの横方向の位置規制が行われる。そして、フレームの底面とガイド部の支持部との間にトレイの位置規制リブが嵌ることでトレイの高さ方向の位置規制を行うことが出来る。ここで、上記底面とはフレームの外側壁と内側壁を繋ぐ連結部の一部に水平を成して形成される面である。
【００１０】
ところで、上記位置規制手段をフレーム及びトレイの両側に設けることも出来るが、反対側には上下方向を規制するガイド部を設けるだけとすることも可能である。上下方向の位置規制手段としては、例えば水平方向に開口した凹溝と該凹溝に嵌る為に水平方向へ延びる凸部との簡単な組み合わせ構造とされ、横方向の位置規制は行わない。
【００１１】
そして、フレームに設けられるガイド部は該フレームと共に金型にて一体成形される為に、外側壁と内側壁を繋ぐ連結部には上記底面が形成されると共に、該ガイド部の位置に連結部を切欠いた開口穴が設けられる。
【発明の効果】
【００１２】
本発明に係るディスク装置では、フレームの複数箇所に設けるガイド部のガイドリブ及び支持部によってトレイの左右方向及び高さ方向の位置規制が確実に出来、そのガイド部構造は簡単である。すなわち、フレームの両外側壁から延出する支持部及び支持部先端から下方へ延びるガイドリブを形成するだけでトレイの位置規制が行われる為に、ディスク装置の幅方向の寸法が小さくなって小型化できる。
【００１３】
又、ガイド部は複数箇所に部分的に設けられるために、幅方向寸法を同一にするならば、フレーム内部における部品配置の変更によってディスク装置の薄型化も可能になる。一方、ガイド部の位置では外側壁と内側壁を繋ぐ連結部が切欠かれた開口穴を形成することでフレームと一体的に成形出来、該フレームを成形する金型の簡略化が可能となり、金型の製作費用は安くなる。
【実施例】
【００１４】
図１、図２は本発明に係るトレイ搬送時の位置規制手段を備えたディスク装置の平面図を示し、図１はトレイが装置内部に収納されている場合、図２はトレイが搬出されている場合である。そして、同図の１はトレイ、２はフレームを表しているが、ディスク装置として一般に装着されるトラバースユニットなど、本発明の対象外の部分は省略している。トレイ１の上面にはディスクがセットされる円形凹部が形成され、モータにて回転駆動されるギアが下面に設けているラックに噛合って該トレイは搬送スライドすることが出来る。
【００１５】
ところで、フレーム２の外側端には片側３箇所にガイド部３，３・・が設けられ、このガイド部３，３・・に位置規制された状態でトレイ１は搬送スライドすることが出来る。図３にはトレイ１を取外したフレーム２を単独で表しているが、該フレーム２は樹脂を材質とした成形品である。そして、両側端に形成されているガイド部３，３・・もフレーム２と共に一体に成形される。
【００１６】
図４はフレーム２の側端に設けられているガイド部３、３を示している部分拡大斜視図であり、外側壁４の内面５から概略Ｌ型を成して突出している。すなわち、内面５から水平に支持部６を延ばし、該支持部先端から垂直下方へガイドリブ７が延びている。そして、内面５と支持部６とのコーナーには補強リブ８，８を設けてガイド部３の強度を補強した構造と成っている。
【００１７】
外側壁４に対して、所定の間隔をおいて内側壁９を平行に設け、外側壁４の内面５から延びる連結部１０にて上記内側壁９が繋がれ、連結部１０は段差をもって形成されているが、その一部には水平な底面１１を設けている。この連結部１０の一部に開口穴１２を設け、上記ガイド部３はこの開口穴１２の位置に形成されている。ガイド部３は上記の通り概略Ｌ型をした形状であるが、上記開口穴１２の位置に設けることでフレーム２と共に一体成形することが可能である。
【００１８】
ところで、図５は上記ガイド部３にトレイ１を取付けた場合の断面を示している。トレイ１の外側部には概略Ｔ型断面のスライド部１３を設けている。このスライド部１３は上面にガイド溝１４を形成し、先端には位置規制リブ１５を有している。そして上記ガイド溝１４にはガイド部３のガイドリブ７の下端が嵌り、位置規制リブ１５の上端は支持部６の下面に接すると共に下端は底面１１に接している。すなわち、位置規制リブ１５はガイド部３の支持部６と底面１１との間に挟まれて拘束されている為に、トレイ１の高さ方向の位置が規制され、スライド部１３のガイド溝１４にガイドリブ７が嵌ることでトレイ１の水平方向の位置が規制される。
【００１９】
図６は図５の斜視図であり、トレイ１のスライド部１３はフレームに設けたガイド部３にその水平方向並びに高さ方向の位置規制がされて、正しくスライドすることが出来る。そして、ガイド部３は連続することなく、フレームの外側壁の適当な３箇所に設けられる為にガイド部３，３・・間には空間が形成され、この空間部分を他の電子部品を取付ける場所として利用することが出来る。
【００２０】
図７はトレイ１の反対側端の位置規制手段を示している。フレーム２の外側壁４の内面５からリブ１６が水平に延び、一方のトレイ１の側端にはコ型断面のスライド部１７が形成され、このスライド部１７が上記リブ１６を挟むように位置規制されている。このリブ１６によってトレイ１の上下方向の位置は規制され、水平方向の位置は前記図４、図５に示したガイド部３によって行われる。勿論、フレーム２の両外側壁４，４に図４に示すガイド部３，３・・を設け、トレイ１の両側には図５に示すスライド部１３を設けることで、図５に示す位置規制構造とすることは自由である。
【図面の簡単な説明】
【００２１】
【図１】トレイがフレーム内に収納されている状態のディスク装置の平面図。
【図２】トレイがフレームから搬出されている状態のディスク装置の平面図。
【図３】トレイが取外されたフレームの平面図。
【図４】フレーム側端に設けているガイド部構造を示す部分拡大斜視図。
【図５】ガイド部に位置規制されたトレイを示す縦断面図。
【図６】ガイド部にトレイが位置規制された状態を示す部分拡大斜視図。
【図７】トレイの反対側に設けられるガイド部の実施形状を示す縦断面図。
【符号の説明】
【００２２】
１  トレイ
２  フレーム
３  ガイド部
４  外側壁
５  内面
６  支持部
７  ガイドリブ
８  補強リブ
９  内側壁
10  連結部
11  底面
12  開口穴
13  スライド部
14  ガイド溝
15  位置規制リブ
16  リブ
17  スライド部
【図１】
2006127658.tif 000003
【図２】
2006127658.tif 000004
【図３】
2006127658.tif 000005
【図４】
2006127658.tif 000006
【図５】
2006127658.tif 000007
【図６】
2006127658.tif 000008
【図７】
2006127658.tif 000009